(57)【要約】【課題】  低消費電力で受信感度を良好に保ちつつ、相互歪み成分を低減することができる無線装置を提供する。【解決手段】  アンテナ１にはデュプレクサ２を介して送信回路３、受信回路４を接続する。また、受信回路４の低雑音増幅器５の前段側には高域通過フィルタ６を接続する。さらに、受信回路４にベースバンド処理部１０を接続すると共に、ベースバンド処理部１０には受信信号ＲＳのビットエラーレートを検出する誤り検出器１１を設ける。そして、誤り検出器１１は、受信信号ＲＳのビットエラーレートに応じて高域通過フィルタ６を調整する。これにより、受信感度を良好に保ちつつ、妨害波等に基づく相互歪み成分を低減することができる。【選択図】        図１
2007124528.tif 000002
【特許請求の範囲】
【請求項１】
第１の高周波信号を送信する送信回路と、前記第１の高周波信号と異なる周波数の第２の高周波信号を受信する受信回路と、前記送信回路と受信回路とに接続され第１，第２の高周波信号を同時に送信、受信が可能なアンテナとからなる無線装置において、
前記受信回路は非線形素子を備え、
該非線形素子の前段には前記送信回路から出力する第１の高周波信号を遮断するフィルタを設け、
前記受信回路によって復調した復調信号の品質または前記第１の高周波信号の出力電力に応じて該フィルタのカットオフ周波数を調整するカットオフ周波数調整回路を設ける構成としたことを特徴とする無線装置。
【請求項２】
前記カットオフ周波数調整回路は、妨害波によって前記復調信号が劣化する場合、カットオフ周波数を前記復調信号の品質が最も良くなるポイントまで第２の高周波信号に近付ける構成としてなる請求項１に記載の無線装置。
【請求項３】
前記カットオフ周波数調整回路は、前記第１の高周波信号の出力電力が小さいときには前記カットオフ周波数を第２の高周波信号から遠ざけ、前記第１の高周波信号の出力電力が大きいときには前記カットオフ周波数を第２の高周波信号に近付ける構成としてなる請求項１に記載の無線装置。
【請求項４】
第３の高周波信号を送信する他の送信回路を設け、
該他の送信回路から出力する第３の高周波信号を遮断する他のフィルタを前記フィルタと並列に設ける構成としてなる請求項１，２または３に記載の無線装置。
【発明の詳細な説明】
【技術分野】
【０００１】
本発明は、送信と受信とを同時に行うことができる無線装置に関する。
【背景技術】
【０００２】
一般に、アンテナに対して送信回路と受信回路が接続された無線装置が知られている（例えば、特許文献１，２参照）。このとき、送信回路と受信回路とは互いに異なる周波数の第１，第２の高周波信号を送信、受信すると共に、アンテナと送信回路、受信回路との間には例えばデュプレクサ等の共用器が設けられている。これにより、共用器は第１，第２の高周波信号を分離し、送信と受信とを同時に行うことができる構成となっている。
【０００３】
【特許文献１】特開平１１−２９８３４３号公報
【特許文献２】特開２０００−６８８７０号公報
【０００４】
ここで、特定周波数（例えば第１，第２の高周波信号間の中間周波数）の強い妨害波がアンテナから受信回路に入力される場合がある。この場合、受信回路を構成する低雑音増幅器（ＬＮＡ）、ミキサ等の非線形素子は、妨害波と送信回路からの第１の高周波信号（送信波）とによって相互歪み成分を発生させると共に、この相互歪み成分が第２の高周波信号（受信波）の帯域内に入り、いわゆるブロッキング妨害を発生させることがある。
【０００５】
このとき、相互歪み成分の発生量は、非線形素子に対する妨害波および送信波の入力電力と非線形素子の線形性によって決まる。従って、相互歪み成分の発生を抑制するためには、共用器によって妨害波および送信波の減衰量を大きくし、または非線形素子のバイアス電圧（駆動電圧）を高めてその非線形性を改善することが好ましい。
【発明の開示】
【発明が解決しようとする課題】
【０００６】
そこで、特許文献１には、受信波の受信電界強度と信号品質とに基づいて妨害波の有無を推定する構成が開示されている。この場合、妨害波による相互歪み成分と受信波との間で干渉が生じるときには、非線形素子のバイアス電圧を昇圧し、非線形特性を改善している。しかし、特許文献１の従来技術では、非線形素子のバイアス電圧が高くなるから、非線形素子の消費電流が増加してしまい、例えば携帯電話等では通話時間が短くなるという問題がある。
【０００７】
一方、特許文献２には、非線形素子の前段に可変減衰器を設けた構成が開示されている。この場合、相互歪み成分と受信波との間で干渉が生じるときには、可変減衰器の減衰量を調整し、非線形素子に入力される妨害波を制限している。しかし、特許文献２の従来技術では、可変減衰器によって受信波も同時に減衰してしまうため、受信感度が劣化するという問題がある。
【０００８】
本発明は上述した従来技術の問題に鑑みなされたもので、本発明の目的は、低消費電力で受信感度を良好に保ちつつ、相互歪み成分を低減することができる無線装置を提供することにある。
【課題を解決するための手段】
【０００９】
上述した課題を解決するために発明は、第１の高周波信号を送信する送信回路と、前記第１の高周波信号と異なる周波数の第２の高周波信号を受信する受信回路と、前記送信回路と受信回路とに接続され第１，第２の高周波信号を同時に送信、受信が可能なアンテナとからなる無線装置に適用される。
【００１０】
そして、請求項１の発明が採用する構成の特徴は、前記受信回路は非線形素子を備え、該非線形素子の前段には前記送信回路から出力する第１の高周波信号を遮断するフィルタを設け、前記受信回路によって復調した復調信号の品質または前記第１の高周波信号の出力電力に応じて該フィルタのカットオフ周波数を調整するカットオフ周波数調整回路を設ける構成としたことにある。
【００１１】
請求項２の発明では、前記カットオフ周波数調整回路は、妨害波によって前記復調信号が劣化する場合、カットオフ周波数を前記復調信号の品質が最も良くなるポイントまで第２の高周波信号に近付ける構成としている。
【００１２】
請求項３の発明では、前記カットオフ周波数調整回路は、前記第１の高周波信号の出力電力が小さいときには前記カットオフ周波数を第２の高周波信号から遠ざけ、前記第１の高周波信号の出力電力が大きいときには前記カットオフ周波数を第２の高周波信号に近付ける構成としている。
【００１３】
請求項４の発明では、第３の高周波信号を送信する他の送信回路を設け、該他の送信回路から出力する第３の高周波信号を遮断する他のフィルタを前記フィルタと並列に設ける構成としている。
【発明の効果】
【００１４】
請求項１の発明によれば、例えば増幅器等の非線形素子の前段にフィルタを設けると共に、該フィルタのカットオフ周波数を調整するカットオフ周波数調整回路を設ける構成としたから、カットオフ周波数調整回路は、復調信号の品質または第１の高周波信号の出力電力に応じて、カットオフ周波数を第２の高周波信号に接近、離間させることができる。これにより、例えば妨害波の入力レベルが低く、復調信号の品質が良好なときは、第２の高周波信号に比べて妨害波等による相互歪み成分が小さいから、カットオフ周波数を第２の高周波信号から遠ざけて、第２の高周波信号の減衰を抑制することができ、第２の高周波信号の受信感度を高めることができる。一方、妨害波の入力レベルが高く、復調信号の品質が劣化したときには、第２の高周波信号に比べて妨害波等による相互歪み成分が大きいから、カットオフ周波数を第２の高周波信号に近付けて、妨害波および第１の高周波信号の減衰量を大きくし、相互歪み成分を低減することができる。
【００１５】
また、例えば第１の高周波信号の出力電力が小さいときには、相互歪み成分が小さくなるから、カットオフ周波数を第２の高周波信号から遠ざけて、第２の高周波信号の減衰を抑制することができ、第２の高周波信号の受信感度を高めることができる。一方、第１の高周波信号の出力電力が大きいときには、相互歪み成分が大きくなるから、カットオフ周波数を第２の高周波信号に近付けて、妨害波および第１の高周波信号の減衰量を大きくし、相互歪み成分を低減することができる。
【００１６】
この結果、増幅器の前段に設けたフィルタを用いて相互歪み成分を低減することができるから、増幅器のバイアス電圧を低く設定することができ、増幅器の消費電力を低減することができる。
【００１７】
請求項２の発明によれば、カットオフ周波数調整回路は、妨害波によって復調信号が劣化する場合、カットオフ周波数を復調信号の品質が最も良くなるポイントに調整する構成としている。これにより、妨害波の入力レベルが低く、復調信号の品質が良好なときには、第２の高周波信号に比べて妨害波等による相互歪み成分が小さいから、カットオフ周波数を第２の高周波信号から遠ざけて、第２の高周波信号の減衰を抑制することができ、第２の高周波信号の受信感度を高めることができる。一方、妨害波の入力レベルが高く、復調信号の品質が劣化したときには、第２の高周波信号に比べて妨害波等による相互歪み成分が大きいから、カットオフ周波数を第２の高周波信号に近付けて、妨害波および第１の高周波信号の減衰量を大きくし、相互歪み成分を低減することができる。
【００１８】
請求項３の発明によれば、カットオフ周波数調整回路は、第１の高周波信号の出力電力に応じて、カットオフ周波数を第２の高周波信号に接近、離間させる構成としている。これにより、第１の高周波信号の出力電力が小さいときには、相互歪み成分が小さくなるから、カットオフ周波数を第２の高周波信号から遠ざけて、第２の高周波信号の減衰を抑制することができ、第２の高周波信号の受信感度を高めることができる。一方、第１の高周波信号の出力電力が大きいときには、相互歪み成分が大きくなるから、カットオフ周波数を第２の高周波信号に近付けて、妨害波および第１の高周波信号の減衰量を大きくし、相互歪み成分を低減することができる。
【００１９】
請求項４の発明によれば、フィルタと並列に他のフィルタを設ける構成としたから、例えば他の送信回路から第３の高周波信号を送信するときには、他のフィルタを用いて第３の高周波信号を遮断することができる。この結果、第３の高周波信号と妨害波とに基づく相互歪み成分をも低減することができるから、この相互歪み成分が第２の高周波信号（受信波）に干渉するのを防止することができる。
【発明を実施するための最良の形態】
【００２０】
以下、本発明の実施の形態による無線装置としてＷ−ＣＤＭＡ（Wideband Code Division Multiple Access）方式の携帯端末を例に挙げて、添付図面を参照して詳細に説明する。
【００２１】
まず、図１および図２は本発明の第１の実施の形態を示し、図において、１は第１の高周波信号ＲＦ1を送信すると共に、第２の高周波信号ＲＦ2を受信するアンテナで、該アンテナ１は、後述する送信回路３と受信回路４とに接続されている。このとき、第１の高周波信号ＲＦ1の周波数ｆ1は、例えば１９２０〜１９８０ＭＨｚに設定されている。一方、第２の高周波信号ＲＦ2の周波数ｆ2は、例えば２１１０〜２１７０ＭＨｚに設定されている。これにより、第１，第２の高周波信号ＲＦ1，ＲＦ2の周波数ｆ1，ｆ2は、互いに異なる値に設定されている。
【００２２】
２はアンテナ１と送信回路３、受信回路４との間に設けられたデュプレクサで、該デュプレクサ２は、例えば低域通過フィルタ２Ａと高域通過フィルタ２Ｂとによって構成されている。そして、低域通過フィルタ２Ａは、第１の高周波信号ＲＦ1を通過させ、第２の高周波信号ＲＦ2を遮断する。一方、高域通過フィルタ２Ｂは、第１の高周波信号ＲＦ1を遮断し、第２の高周波信号ＲＦ2を通過させる。これにより、デュプレクサ２は、送信回路３から出力された第１の高周波信号ＲＦ1をアンテナ１に供給すると共に、アンテナ１で受信した第２の高周波信号ＲＦ2を受信回路４に供給している。
【００２３】
３は例えばＩ信号（同相信号）およびＱ信号（直交信号）からなる送信信号ＴＳに基づいて第１の高周波信号ＲＦ1を出力する送信回路で、該送信回路３は後述のベースバンド処理部１０等に接続されている。そして、送信回路３は、送信信号ＴＳを直交変調して中間周波信号を生成すると共に、該中間周波信号をアップコンバートして送信用の高周波信号ＲＦ1を出力するものである。
【００２４】
４はアンテナ１から受信した第２の高周波信号ＲＦ2を復調して例えばＩ信号およびＱ信号からなる受信信号ＲＳ（復調信号）を出力する受信回路で、該受信回路４は、後述の局部発振器８とベースバンド処理部１０とに接続されている。また、受信回路４は、後述する低雑音増幅器５、ミキサ７、復調器９等によって構成されている。そして、受信回路４は、局部発振器８から出力される局部発振信号ＬＯを用いて高周波信号ＲＦ2を中間周波信号ＩＦにダウンコンバートすると共に、該中間周波信号ＩＦを直交検波して受信信号ＲＳを出力するものである。
【００２５】
５は第２の高周波信号ＲＦ2を増幅する非線形素子としての低雑音増幅器で、該低雑音増幅器５は、その入力側がデュプレクサ２等を介してアンテナ１に接続されると共に、出力側がミキサ７等に接続されている。
【００２６】
６は低雑音増幅器５の前段側に設けられた高域通過フィルタで、該高域通過フィルタ６は、デュプレクサ２と低雑音増幅器５との間に設けられ、図２に示すように、アンテナ１で受信した第２の高周波信号ＲＦ2を通過させ、第２の高周波信号ＲＦ2よりも低周波の信号を遮断する。そして、高域通過フィルタ６は、そのカットオフ周波数fcが例えば第１，第２の周波数ｆ1，ｆ2の間の値に設定されると共に、カットオフ周波数fcが後述の誤り検出器１１によって可変に調整される構成となっている。
【００２７】
７は図１に示すように低雑音増幅器５の後段側（出力側）に接続されたダウンコンバート用のミキサで、該ミキサ７は、局部発振器８に接続され、該局部発振器８からの局部発振信号ＬＯを用いて、第２の高周波信号ＲＦ2を中間周波信号ＩＦにダウンコンバートする。
【００２８】
９はミキサ７の出力側に接続された復調器で、該復調器９は、例えばミキサ、局部発振器等からなる直交検波器によって構成されている。そして、復調器９は、局部発振信号を用いて中間周波信号ＩＦからＩ信号とＱ信号とからなる受信信号ＲＳを復調する。そして、復調器９の出力側は、後述するベースバンド処理部１０に接続されている。
【００２９】
１０は送信回路３と受信回路４とに接続されたベースバンド処理部で、該ベースバンド処理部１０は、ベースバンド信号から送信信号ＴＳを生成して送信回路３に向けて出力し、受信回路４から入力される受信信号ＲＳからベースバンド信号を復号する。また、ベースバンド処理部１０は、後述する誤り検出器１１を備えている。
【００３０】
１１はベースバンド処理部１０に設けられたカットオフ周波数調整回路としての誤り検出器で、該誤り検出器１１は、復調信号の品質として、受信信号ＲＳから復号したベースバンド信号のビットエラーレートを検出する。そして、誤り検出器１１は、該ピットエラーレートが最も良くなるように、カットオフ周波数ｆcを高低させて調整する。
【００３１】
本実施の形態による無線装置は上述のように構成されるものであり、次にその動作について説明する。
【００３２】
まず、送信時には、ベースバンド処理部１０はベースバンド信号から送信信号ＴＳを生成し、送信回路３は該送信信号ＴＳに基づいて第１の高周波信号ＲＦ1を変調する。これにより、第１の高周波信号ＲＦ1は、デュプレクサ２を介してアンテナ１から送信される。
【００３３】
一方、受信時には、受信回路４は、アンテナ１で受信した第２の高周波信号ＲＦ2に基づいて受信信号ＲＳを復調する。これにより、ベースバンド処理部１０は、受信信号ＲＳに基づいてベースバンド信号を復号する。
【００３４】
然るに、デュプレクサ２は、低域通過フィルタ２Ａを用いて第１の高周波信号ＲＦ1を送信回路３からアンテナ１に供給しつつ、高域通過フィルタ２Ｂを用いて第２の高周波信号ＲＦ2をアンテナ１から受信回路４に供給する。このため、無線装置は送信動作と受信動作とを同時に行うことができる。
【００３５】
このとき、アンテナ１は、例えば第１，第２の高周波信号ＲＦ1，ＲＦ2の中間の周波数ｆn（ｆn＝（ｆ1＋ｆ2）／２）をもった妨害波Ｎを受信することがある。また、アンテナ１は、第１，第２の高周波信号ＲＦ1，ＲＦ2間の周波数差Δｆ（Δｆ＝ｆ2−ｆ1）だけ第１の周波数ｆ1よりも低い周波数ｆn′（ｆn′＝ｆ1−Δｆ）をもった妨害波Ｎを受信することもある。
【００３６】
このように、送信動作と受信動作とを同時に行いつつ、アンテナ１が妨害波Ｎを受信した場合には、第２の高周波信号ＲＦ2が受信回路４に入力されるのに加え、妨害波Ｎおよび第１の高周波信号ＲＦ1の一部も、デュプレクサ２（高域通過フィルタ２Ｂ）によって減衰されることができず、デュプレクサ２を通過して受信回路４に入力される。この場合、受信回路４の低雑音増幅器５は、その非線形性によって妨害波Ｎおよび第１の高周波信号ＲＦ1から相互歪み成分を発生させると共に、この相互歪み成分が第２の高周波信号ＲＦ2の帯域内に生じる傾向がある。
【００３７】
これに対し、本実施の形態では、低雑音増幅器５の前段側に高域通過フィルタ６を設けると共に、該高域通過フィルタ６のカットオフ周波数ｆcを誤り検出器１１によって調整する構成としている。このため、誤り検出器１１は、図２に示すように、復調信号の品質として受信信号ＲＳによるベースバンド信号のビットエラーレートを検出し、このビットエラーレートに応じて、カットオフ周波数ｆcを第２の高周波信号ＲＦ2の周波数ｆ2に接近、離間させることができる。
【００３８】
このとき、高域通過フィルタ６による第２の高周波信号ＲＦ2の損失と妨害波Ｎ等の減衰量とはトレードオフの関係にある。即ち、第２の高周波信号ＲＦ2の損失が多いときに妨害波Ｎ等の減衰量も大きくなり、第２の高周波信号ＲＦ2の損失が少ないときに妨害波Ｎ等の減衰量も小さくなる。よって、カットオフ周波数Ｆcの最適値は、復調信号の品質が最も良くなるところとなる。
【００３９】
このため、妨害波Ｎのレベルが低く、ビットエラーレートが良好なときには、第２の高周波信号ＲＦ2に比べて妨害波Ｎ等による相互歪み成分が小さいから、誤り検出器１１は、カットオフ周波数ｆcを第２の高周波信号ＲＦ2の周波数ｆ2から遠ざける。これにより、第２の高周波信号ＲＦ2の減衰を抑制することができ、第２の高周波信号ＲＦ2の受信感度を高めることができる。
【００４０】
一方、妨害波Ｎのレベルが高く、ビットエラーレートが劣化したときには、第２の高周波信号ＲＦ2に比べて妨害波Ｎ等による相互歪み成分が大きいから、誤り検出器１１は、カットオフ周波数ｆcを第２の高周波信号ＲＦ2の周波数ｆ2に近付ける。これにより、妨害波Ｎおよび第１の高周波信号ＲＦ1の減衰量を大きくし、相互歪み成分を低減することができる。
【００４１】
この結果、ビットエラーレートを監視しながら、最も受信信号ＲＳの感度が良くなる位置に高域通過フィルタ６のカットオフ周波数ｆcを調整することができるから、第２の高周波信号ＲＦ2と相互歪み成分との間で干渉が生じるときでも、最適な高域通過フィルタ６の減衰量を得ることができる。
【００４２】
また、低雑音増幅器５の前段に設けた高域通過フィルタ６を用いて相互歪み成分を低減することができるから、低雑音増幅器５には高度な線形性は要求されなくなる。このため、低雑音増幅器５のバイアス電圧を低く設定することができ、低雑音増幅器５の消費電力（消費電流）を低減することができる。また、デュプレクサ２に必要な帯域外減衰量が緩和されるから、例えば減衰量が小さい小型で安価なデュプレクサ２を用いることができ、製造コストを低減できると共に、設計自由度を向上することができる。
【００４３】
次に、図３は本発明による第２の実施の形態を示し、本実施の形態の特徴は、カットオフ周波数調整回路は第１の高周波信号の出力電力に応じて高域通過フィルタのカットオフ周波数を調整する構成としたことにある。なお、本実施の形態では前記第１の実施の形態と同一の構成要素に同一の符号を付し、その説明を省略するものとする。
【００４４】
２１は本実施の形態による送信回路で、該送信回路２１は、第１の実施の形態による送信回路３とほぼ同様に、デュプレクサ２とベースバンド処理部１０との間に設けられ、送信信号ＴＳに基づいて第１の高周波信号ＲＦ1を変調して出力する。
【００４５】
２２は送信回路２１に設けられたカットオフ周波数調整回路で、該カットオフ周波数調整回路２２は、第１の高周波信号ＲＦ1の出力電力が小さいときには高域通過フィルタ６のカットオフ周波数ｆcを低下させて第２の高周波信号ＲＦ2の周波数ｆ2から遠ざける。一方、カットオフ周波数調整回路２２は、第１の高周波信号ＲＦ1の出力電力が大きいときには高域通過フィルタ６のカットオフ周波数ｆcを高めて第２の高周波信号ＲＦ2の周波数ｆ2に近付ける。
【００４６】
かくして、本実施の形態でも、第１の実施の形態とほぼ同様な作用効果を得ることができる。特に、本実施の形態では、カットオフ周波数調整回路２２は、第１の高周波信号ＲＦ1の出力電力に応じて、カットオフ周波数ｆcを第２の高周波信号ＲＦ2の周波数ｆ2に接近、離間させる構成としている。これにより、第１の高周波信号ＲＦ1の出力電力が小さいときには、相互歪み成分が小さくなるから、カットオフ周波数ｆcを第２の高周波信号ＲＦ2から遠ざけて、第２の高周波信号ＲＦ2の減衰を抑制することができ、第２の高周波信号ＲＦ2の受信感度を高めることができる。一方、第１の高周波信号ＲＦ1の出力電力が大きいときには、相互歪み成分が大きくなるから、カットオフ周波数ｆcを第２の高周波信号ＲＦ2に近付けて、妨害波Ｎおよび第１の高周波信号ＲＦ1の減衰量を大きくし、相互歪み成分を低減することができる。
【００４７】
次に、図４は本発明による第３の実施の形態を示し、本実施の形態の特徴は、第３の高周波信号を送信する他の送信回路を設けると共に、妨害波等を遮断する高域通過フィルタに対して第３の高周波信号を遮断する低域通過フィルタを並列に設ける構成としたことにある。なお、本実施の形態では前記第１の実施の形態と同一の構成要素に同一の符号を付し、その説明を省略するものとする。
【００４８】
３１はデュプレクサ２を介してアンテナ１に接続された第１の送信回路で、該送信回路３１は、第１の実施の形態による送信回路３とほぼ同様に、送信信号ＴＳに基づいて第１の高周波信号ＲＦ1を変調して出力する。
【００４９】
３２はデュプレクサ２を介してアンテナ１に接続された第１の受信回路で、該受信回路３２は、第１の実施の形態による受信回路４とほぼ同様に、低雑音増幅器５、ミキサ７、復調器９等によって構成されると共に、ミキサ７は局部発振器８に接続されている。そして、受信回路３２は、第２の高周波信号ＲＦ2に基づいて受信信号ＲＳを復調して出力する。
【００５０】
このとき、第１，第２の高周波信号ＲＦ1，ＲＦ2の周波数ｆ1，ｆ2は例えば８００ＭＨｚ付近の値に設定されると共に、第１の周波数ｆ1よりも第２の周波数ｆ2の方が高い値に設定されている。そして、第１の送信回路３１、受信回路３２は、例えばＷ−ＣＤＭＡ規格の高周波信号ＲＦ1，ＲＦ2を送信、受信するものである。
【００５１】
３３は低雑音増幅器５の前段側に設けられたフィルタ回路で、該フィルタ回路３３は、互いに並列に設けられた高域通過フィルタ３４、低域通過フィルタ３５と、これらを選択的に切換える切換スイッチ３６とによって構成されている。そして、フィルタ回路３３は、低雑音増幅器５とデュプレクサ２との間に接続され、アンテナ１および低雑音増幅器５に対して高域通過フィルタ３４、低域通過フィルタ３５を選択的に接続する。
【００５２】
ここで、高域通過フィルタ３４は、第１の高周波信号ＲＦ1を遮断して第２の高周波信号ＲＦ2を通過させる。一方、低域通過フィルタ３５は、後述する第３の高周波信号ＲＦ3を遮断して第２の高周波信号ＲＦ2を通過させる。そして、高域通過フィルタ３４のカットオフ周波数fc1は、例えば第１，第２の周波数ｆ1，ｆ2の間の値に設定されると共に、後述の誤り検出器４１によって可変に調整される。また、低域通過フィルタ３５のカットオフ周波数ｆc2は、例えば第２，第３の周波数ｆ2，ｆ3の間の値に設定されると共に、誤り検出器４１によって可変に調整される構成となっている。さらに、切換スイッチ３６の切換えも、誤り検出器４１によって制御されている。
【００５３】
３７はアンテナ１に接続された第２の送信回路で、該送信回路３７は、後述のベースバンド処理部４０による送信信号ＴＳ′に基づいて第３の高周波信号ＲＦ3を変調して出力する。
【００５４】
３８はアンテナ１に接続された第２の受信回路で、該受信回路３８は、アンテナ１から受信した第４の高周波信号ＲＦ4を用いて受信信号ＲＳ′を復調して出力する。
【００５５】
このとき、第３，第４の高周波信号ＲＦ3，ＲＦ4の周波数ｆ3，ｆ4は、第１，第２の高周波信号ＲＦ1，ＲＦ2と異なる値（高周波信号ＲＦ1，ＲＦ2よりも高い値）として、例えば１．７〜１．８ＧＨｚに設定されている。そして、第２の送信回路３７、受信回路３８は、例えばＧＳＭ（Global System for Mobile Communications）規格の高周波信号ＲＦ3，ＲＦ4を送信、受信するものである。また、アンテナ１と送信回路３７、受信回路３８との間に、これらを選択的にアンテナ１に接続する切換器３９が設けられている。
【００５６】
４０は本実施の形態によるベースバンド処理部で、該ベースバンド処理部４０は、Ｗ−ＣＤＭＡ方式に応じた送信信号ＴＳ、受信信号ＲＳを生成、復号すると共に、ＧＳＭ方式に応じた送信信号ＴＳ′、受信信号ＲＳ′を生成、復号する。そして、Ｗ−ＣＤＭＡ方式の送信を行うときには、ベースバンド処理部４０は、ベースバンド信号から送信信号ＴＳを生成すると共に、該送信信号ＴＳを第１の送信回路３１に出力する。また、Ｗ−ＣＤＭＡ方式の受信を行うときには、ベースバンド処理部４０は、第１の受信回路３２から受信信号ＲＳが入力されると共に、該受信信号ＲＳに基づいてベースバンド信号を復号する。
【００５７】
一方、ＧＳＭ方式の送信を行うときには、ベースバンド処理部４０は、ベースバンド信号から送信信号ＴＳ′を生成すると共に、該送信信号ＴＳ′を第２の送信回路３７に出力する。また、ＧＳＭ方式の受信を行うときには、ベースバンド処理部４０は、第２の受信回路３８から受信信号ＲＳ′が入力されると共に、該受信信号ＲＳ′に基づいてベースバンド信号を復号する。
【００５８】
４１はベースバンド処理部４０に設けられたカットオフ周波数調整回路としての誤り検出器で、該誤り検出器４１は、第１の実施の形態による誤り検出器１１とほぼ同様に、復調信号の品質として、受信信号ＲＳから復号したベースバンド信号のビットエラーレートを検出し、該ビットエラーレートの検出値に応じて高域通過フィルタ３４、低域通過フィルタ３５のカットオフ周波数ｆc1，ｆc2を調整する。また、誤り検出器４１は、Ｗ−ＣＤＭＡ方式の送信動作と受信動作とを同時に行う場合には切換スイッチ３６を高域通過フィルタ３４に接続し、ＧＳＭ方式の送信動作とＷ−ＣＤＭＡ方式の受信動作とを同時に行う場合には切換スイッチ３６を低域通過フィルタ３５に接続する。
【００５９】
そして、Ｗ−ＣＤＭＡ方式の送信動作と受信動作とを同時に行う場合には、誤り検出器４１は、第１の実施の形態による誤り検出器１１とほぼ同様に、ピットエラーレートが最も良くなるように、高域通過フィルタ３４のカットオフ周波数ｆc1を調整する。
【００６０】
これに対し、ＧＳＭ方式の送信動作とＷ−ＣＤＭＡ方式の受信動作とを同時に行う場合には、誤り検出器４１は、ピットエラーレートが最も良くなるように、低域通過フィルタ３５のカットオフ周波数ｆc2を調整する。
【００６１】
かくして、本実施の形態でも、第１の実施の形態とほぼ同様な作用効果を得ることができる。特に、本実施の形態では、高域通過フィルタ３４と並列に低域通過フィルタ３５を設ける構成としたから、第２の送信回路３７から第３の高周波信号ＲＦ3を送信するときには、低域通過フィルタ３５を用いて第３の高周波信号ＲＦ3を遮断することができる。この結果、第３の高周波信号ＲＦ3と妨害波Ｎとに基づく相互歪み成分をも低減することができるから、この相互歪み成分が第２の高周波信号ＲＦ2に干渉するのを防止することができる。
【００６２】
また、デュプレクサ２と低雑音増幅器５との間には高域通過フィルタ３４、低域通過フィルタ３５、切換スイッチ３６からなるフィルタ回路３３を設けたから、デュプレクサ２のみを用いた場合に比べて、第３の送信回路３７と第１の受信回路３２の低雑音増幅器５等との間のアイソレーションを高めることができる。この結果、デュプレクサ２のアイソレーションを緩和することができ、小型で安価なデュプレクサ２を用いることができる。
【００６３】
なお、前記第３の実施の形態では、高域通過フィルタ３４、低域通過フィルタ３５を並列に設け、切換スイッチ３６によって高域通過フィルタ３４、低域通過フィルタ３５を選択的に切換える構成とした。しかし、本発明はこれに限らず、例えば図５に示す変形例のように、高域通過フィルタ３４および低域通過フィルタ３５にバイパス線路４２を並列に設け、切換スイッチ３６によってこれらの高域通過フィルタ３４、低域通過フィルタ３５、バイパス線路４２を選択的に切換える構成としてもよい。
【００６４】
この場合、第１の高周波信号ＲＦ1を送信するときにはアンテナ１を高域通過フィルタ３４に接続し、第３の高周波信号ＲＦ3を送信するときにはアンテナ１を低域通過フィルタ３５に接続すると共に、第１，第３の高周波信号ＲＦ1，ＲＦ3をいずれも送信しないとき、または送信電力が弱いときにはアンテナ１をバイパス線路４２に接続する。これにより、例えば待受け時等には第２の高周波信号ＲＦ2をフィルタ３４，３５によって減衰させることなく低雑音増幅器５に入力することができ、最適な受信感度を得ることができる。
【００６５】
また、前記第３の実施の形態では、ベースバンド処理部４０に設けた誤り検出器４１を用いてフィルタ３４、３５のカットオフ周波数ｆc1，ｆc2を調整する構成とした。しかし、本発明はこれに限らず、例えば第２の実施の形態のように、送信回路３１，３７にカットオフ周波数調整回路を設け、該カットオフ周波数調整回路を用いて第１，第３の高周波信号ＲＦ1，ＲＦ3の送信電力に応じてカットオフ周波数ｆc1，ｆc2を調整する構成としてもよい。
【００６６】
また、前記各実施の形態では、第１の高周波信号ＲＦ1の周波数ｆ1は第２の高周波信号ＲＦ2の周波数ｆ2よりも低いもの（ｆ1＜ｆ2）とし、受信回路４，３２には第１の高周波信号ＲＦ1を遮断し第２の高周波信号ＲＦ2を通過させる高域通過フィルタ６，３４を設ける構成とした。しかし、本発明はこれに限らず、例えば第１の高周波信号ＲＦ1の周波数ｆ1は第２の高周波信号ＲＦ2の周波数ｆ2よりも高いもの（ｆ1＞ｆ2）とし、受信回路には第１の高周波信号ＲＦ1を遮断し第２の高周波信号ＲＦ2を通過させる低域通過フィルタを設ける構成としてもよい。
【００６７】
さらに、前記各実施の形態では、Ｗ−ＣＤＭＡ方式、ＧＳＭ方式による無線装置に適用するものとしたが、ＰＨＳ（Personal Handyphone System）方式等の他の通信方式による無線装置にも適用することができる。
【図面の簡単な説明】
【００６８】
【図１】第１の実施の形態による無線装置を示すブロック図である。
【図２】図１中の高域通過フィルタによる周波数と減衰量との関係を示す特性線図である。
【図３】第２の実施の形態による無線装置を示すブロック図である。
【図４】第３の実施の形態による無線装置を示すブロック図である。
【図５】変形例による無線装置を示すブロック図である。
【符号の説明】
【００６９】
１  アンテナ
２  デュプレクサ
３，２１  送信回路
４  受信回路
５  低雑音増幅器（非線形素子）
６，３４  高域通過フィルタ（フィルタ）
１０，４０  ベースバンド処理部
１１，４１  誤り検出器（カットオフ周波数調整回路）
３１  第１の送信回路
３２  第１の受信回路
３３  フィルタ回路
３５  低域通過フィルタ（他のフィルタ）
３７  第２の送信回路（他の送信回路）
３８  第２の受信回路
【図１】
2007124528.tif 000003
【図２】
2007124528.tif 000004
【図３】
2007124528.tif 000005
【図４】
2007124528.tif 000006
【図５】
2007124528.tif 000007